(57)【要約】      （修正有）【課題】遊技機店毎に行われている遊技機の改竄検査を、一括して管理することができる遊技機改竄検査一括管理システムを提供する。【解決手段】パチンコ機１０の基板収容ケース１６にはＩＣタグ２２が貼付されている。ＩＣタグ２２のＩＣチップに記録されている情報は携帯情報端末３０で読み取ることができると共に書き込みすることができるようになっている。また、携帯情報端末３０は読み取った情報及び書き込んだ情報をコンピューターに送信する情報送信機能を備えている。携帯情報端末３０はパチンコ店に設置された店用パーソナルコンピューターと接続されている。また、店用パーソナルコンピューターは複数のパチンコ店を管理するパチンコ店管理本部に設置された管理本部用コンピューターと接続されている。【選択図】図２
0003138462.tif 000002
【実用新案登録請求の範囲】
【請求項１】
遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、前記遊技機店毎に配設されると共に前記携帯情報端末と通信可能な店用コンピューターと、前記遊技機店を管理する管理本部に設置されると共に前記店用コンピューターと通信可能で前記携帯情報端末の情報を見ることができる管理本部用コンピューターと、を有してなることを特徴とする遊技機店の遊技機改竄検査一括管理システム。
【請求項２】
遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、この携帯情報端末に形成されると共に携帯情報端末が前記ＩＣチップに記録された情報を読み取るとその情報が表示されるディスプレー部と、前記遊技機店毎に配設されると共に前記携帯情報端末と通信可能な店用コンピューターと、前記遊技機店を管理する管理本部に設置されると共に前記店用コンピューターと通信可能で前記携帯情報端末の情報を見ることができる管理本部用コンピューターと、を有してなることを特徴とする遊技機店の遊技機改竄検査一括管理システム。
【請求項３】
遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、前記遊技機店を管理する管理本部に設置されると共に前記携帯情報端末と通信可能で前記携帯情報端末の情報を見ることができる管理本部用コンピューターと、を有してなることを特徴とする遊技機店の遊技機改竄検査一括管理システム。
【請求項４】
遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、この携帯情報端末に形成されると共に携帯情報端末が前記ＩＣチップに記録された情報を読み取るとその情報が表示されるディスプレー部と、前記遊技機店を管理する管理本部に設置されると共に前記携帯情報端末と通信可能で前記携帯情報端末の情報を見ることができる管理本部用コンピューターと、を有してなることを特徴とする遊技機店の遊技機改竄検査一括管理システム。
【請求項５】
遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、前記遊技機店毎に配設されると共に前記携帯情報端末と通信可能な店用コンピューターと、前記遊技機店を管理する管理本部に設置されると共に前記携帯情報端末と通信可能で前記携帯情報端末の情報を見ることができる管理本部用コンピューターと、を有してなることを特徴とする遊技機店の遊技機改竄検査一括管理システム。
【請求項６】
遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、この携帯情報端末に形成されると共に携帯情報端末が前記ＩＣチップに記録された情報を読み取るとその情報が表示されるディスプレー部と、前記遊技機店毎に配設されると共に前記携帯情報端末と通信可能な店用コンピューターと、前記遊技機店を管理する管理本部に設置されると共に前記携帯情報端末と通信可能で前記携帯情報端末の情報を見ることができる管理本部用コンピューターと、を有してなることを特徴とする遊技機店の遊技機改竄検査一括管理システム。
【請求項７】
前記通信回路体をＩＣタグにしたことを特徴とする請求項１、請求項２、請求項３、請求項４、請求項５、請求項６記載の遊技機店の遊技機改竄検査一括管理システム。
【考案の詳細な説明】
【技術分野】
【０００１】  本考案は、パチンコ店等の遊技機店毎で行なわれているパチンコ機等の遊技機の改竄検査を一箇所で一括して管理できる遊技機店の遊技機改竄検査一括管理システムに関する。
【背景技術】
【０００２】  パチンコ機にはパチンコ機のゲーム全般をコントロールする制御部としての制御基板が基板収容ケースに収容された状態で配設されている。この制御基板にはパチンコ機の大当たり等を決定する重要なプログラムが記録されたＲＯＭ（Ｒｅａｄ  Ｏｎｌｙ  Ｍｅｍｏｒｙの省略）が取り付けられている。
このため、不正行為者が前記基板収容ケースを開けて正規のＲＯＭを取り外して用意した改竄ＲＯＭに交換して当該パチンコ機のゲームをコントロールして多くの出玉を獲得するという不正行為が可能となっている。
しかし、このような改竄ＲＯＭに交換する等の改竄行為があってもパチンコ店側はパチンコ機の基板収容ケースの外側からＲＯＭを見て当該ＲＯＭが正規のＲＯＭであるか改竄ＲＯＭであるかを目で見てパチンコ機の改竄を見つけなければならず、前記改竄行為を見つけるのは困難である。
そこで、上記改竄行為を簡単に見つけられるようにＩＣタグとＩＣ読取チェッカーを使用してなる遊技機の改竄検査が提案されている。
しかし、前記改竄検査はパチンコ店毎に行うため複数のパチンコ店を所有管理するパチンコ店経営会社においては管理する複数のパチンコ店の改竄検査の結果等を一括して管理することが困難であるという不具合がある。
【考案の開示】
【考案が解決しようとする課題】
【０００３】  本考案は、上記事実に鑑みなされたものであり、遊技機店毎に行われている遊技機の改竄検査を一括して管理することができる遊技機店の遊技機改竄検査一括管理システムを提供するものである。
【課題を解決するための手段】
【０００４】  請求項１の考案は、遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、前記遊技機店毎に配設されると共に前記携帯情報端末と通信可能な店用コンピューターと、前記遊技機店を管理する管理本部に設置されると共に前記店用コンピューターと通信可能で前記携帯情報端末の情報を見ることができる管理本部用コンピューターと、を有してなることを特徴としている。
請求項２の考案は、遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、この携帯情報端末に形成されると共に携帯情報端末が前記ＩＣチップに記録された情報を読み取るとその情報が表示されるディスプレー部と、前記遊技機店毎に配設されると共に前記携帯情報端末と通信可能な店用コンピューターと、前記遊技機店を管理する管理本部に設置されると共に前記店用コンピューターと通信可能で前記携帯情報端末の情報を見ることができる管理本部用コンピューターと、を有してなることを特徴としている。
請求項３の考案は、遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、前記遊技機店を管理する管理本部に設置されると共に前記携帯情報端末と通信可能で前記携帯情報端末の情報を見ることができる管理本部用コンピューターと、を有してなることを特徴としている。
請求項４の考案は、遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、この携帯情報端末に形成されると共に携帯情報端末が前記ＩＣチップに記録された情報を読み取るとその情報が表示されるディスプレー部と、前記遊技機店を管理する管理本部に設置されると共に前記携帯情報端末と通信可能で前記携帯情報端末の情報を見ることができる管理本部用コンピューターと、を有してなることを特徴としている。
請求項５の考案は、遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、前記遊技機店毎に配設されると共に前記携帯情報端末と通信可能な店用コンピューターと、前記遊技機店を管理する管理本部に設置されると共に前記携帯情報端末と通信可能で前記携帯情報端末の情報を見ることができる管理本部用コンピューターと、を有してなることを特徴としている。
請求項６の考案は、遊技機店毎に行う遊技機の改竄検査を一括して管理する遊技機店の遊技機改竄検査一括管理システムであって、遊技機店毎に設置された遊技機に取り付けられた通信回路体と、この通信回路体に設けられたアンテナ部と、前記通信回路体に設けられると共に情報が記録されたＩＣチップと、このＩＣチップと通信することによりＩＣチップに記録された情報を読み取ることができると共に前記ＩＣチップに情報を記録することができる携帯情報端末と、この携帯情報端末に形成されると共に携帯情報端末が前記ＩＣチップに記録された情報を読み取るとその情報が表示されるディスプレー部と、前記遊技機店毎に配設されると共に前記携帯情報端末と通信可能な店用コンピューターと、前記遊技機店を管理する管理本部に設置されると共に前記携帯情報端末と通信可能で前記携帯情報端末の情報を見ることができる管理本部用コンピューターと、を有してなることを特徴としている。
請求項７の考案は、前記通信回路体をＩＣタグにしたことを特徴としている。
【考案の効果】
【０００５】  本考案は、複数の店舗毎に行われている遊技機の改竄検査を容易に一箇所で一括して管理することができるという優れた効果を有する。
【考案を実施するための最良の形態】
【０００６】  考案を実施するために最良の形態の例として以下のような実施例を示す。
【実施例１】
【０００７】  図１〜図３には本考案に係る遊技機店の遊技機改竄検査一括管理システムの第１実施例が示されている。なお、この実施例では遊技機店とは遊技機としてのパチンコ機を設置しているパチンコ店を例にして説明する。また、この実施例では遊技機としてはパチンコ機を例にして説明する。
図１に示されるように、パチンコ店を経営するパチンコ店経営会社にはパチンコ店管理本部１が設けられている。このパチンコ店管理本部１は前記パチンコ店経営会社が所有する複数のパチンコ店（実施例では図示するＡパチンコ店２、Ｂパチンコ店３、Ｃパチンコ店４の３店舗）を管理している。
前記Ａパチンコ店２、Ｂパチンコ店３、Ｃパチンコ店４は遊戯機としてのパチンコ機１０をそれぞれ多数設置している（図には１台のパチンコ機１０を示す）。なお、前記Ａパチンコ店２、Ｂパチンコ店３、Ｃパチンコ店４の構成は同じである。
図２に示されるように、前記Ａパチンコ店２、Ｂパチンコ店３、Ｃパチンコ店４に設置された前記パチンコ機１０の遊技盤１２の背面に固定されたボックス体１４には適宜手段を介して基板収容ケース１６が配設固定されている。
この基板収容ケース１６はケース本体１６Ａとケース蓋１６Ｂで構成されている。また、このケース本体１６Ａとケース蓋１６Ｂは無色透明な合成樹脂材で形成され、基板収容ケース１６の外側から基板収容ケース１６の内側を見ることができるようになっている。
前記基板収容ケース１６の内側には前記パチンコ機１０の出玉数等のゲームをコントロールする制御基板１８が収容されている。この制御基板１８にはパチンコ機１０の大当たり等を決定する重要なプログラムが記録されたＲＯＭ２０をはじめとして各種電子部品が取り付けられている。
前記基板収容ケース１６にはケース本体１６Ａとケース蓋１６Ｂに跨るようにして通信回路体としてのＩＣタグ２２が貼付されている。従って、前記基板収容ケース１６のケース蓋１６Ｂを開けるためにはケース本体１６Ａとケース蓋１６Ｂに跨って貼付されているＩＣタグ２２を必ず剥がさなければならないようになっている。
図３に示されるように、このＩＣタグ２２のパッケージ体２４は透明な合成樹脂材で矩形状に形成されている。このパッケージ体２４にはアンテナ部２６が内設されている。また、前記パッケージ体２４には極めて小さくて薄いＩＣチップ２８が内設されている。このＩＣチップ２８は大量の情報を記録できるようになっている。例えば、当該パチンコ機１０が設置されているパチンコ店の店番号や当該パチンコ機１０の台番号等の種々の情報が記録されている。また、前記ＩＣチップ２８にはパチンコ機１０の改竄検査を行った日時や改竄検査を行った担当者等も記録できるようになっている。
前記パッケージ体２４の裏面には接着剤が塗布され、前記ＩＣタグ２２を基板収容ケース１６等に貼付できるようになっている。
図２に示されるように、前記ＩＣタグ２２のＩＣチップ２８に記録されている情報は携帯情報端末３０で読み取ることができ、また、前記ＩＣタグ２２のＩＣチップ２８に情報を携帯情報端末３０で書き込み（記録）することができるようになっている。
即ち、前記携帯情報端末３０は前記ＩＣチップ２８に記録されている情報を読み取る読取機能が内蔵され、携帯情報端末３０が電波を発信することにより前記ＩＣタグ２２のアンテナ部２６を通してＩＣチップ２８に記録されている情報を読み取ることができるようになっている。
また、前記携帯情報端末３０は前記ＩＣチップ２８の情報を読み取る機能だけでなく、改竄検査のデータ等（例えば改竄検査を行った日時や改竄検査を行った担当者等）を前記ＩＣタグ２２のＩＣチップ２８に書き込む（記録させる）ことができる書込機能が内蔵されている。
前記携帯情報端末３０には液晶のディスプレー部３２が形成されている。このディスプレー部３２には携帯情報端末３０が読み取った情報が表示（例えば、前記ＩＣチップ２８の情報を読み取ることができると「ＯＫ」の文字が表示され、前記ＩＣチップ２８の情報を読み取ることができないと「ＮＧ」の文字が表示される）されるようになっている。
また、前記ディスプレー部３２には携帯情報端末３０でＩＣタグ２２に書き込んだ情報も表示されるようになっている。従って、携帯情報端末３０で前記ＩＣチップ２８に改竄検査を行った検査日時や検査担当者を書き込むとディスプレー部３２にそれらも表示されるようになっている。
前記携帯情報端末３０にはスイッチボタン３４と通信ボタン３６が設けられている。。
さらに、前記携帯情報端末３０には操作ボタン３８が複数設けられている。この操作ボタン３８を操作することにより、改竄検査を行った日時やコード番号等で改竄検査を行った検査担当者の氏名等を携帯情報端末３０を介してＩＣタグ２２のＩＣチップ２８に書き込みできるようになっている。
また、前記携帯情報端末３０は前記読取機能及び前記書込機能の他にこれら読取機能で読み取った情報及び書込機能で書き込んだ情報を無線又は有線で接続されたコンピューターに送信する情報送信機能を備えている。
図１に示されるように前記携帯情報端末３０はパチンコ店に設置されたノート型の店用パーソナルコンピューター４０と接続されている。
従って、前記携帯情報端末３０は前記ＩＣタグ２２から読み取った情報をパチンコ店の管理室に設置された前記店用パーソナルコンピューター４０に送信できるようになっている。これにより、前記店用パーソナルコンピューター４０の画面４２を見ることによっても前記携帯情報端末３０が読み取った情報を簡単に見ることができるようになっている。
また、前記店用パーソナルコンピューター４０は前記パチンコ店管理本部１に設置されている管理本部用コンピューター４４と接続されている。
従って、前記携帯情報端末３０で読み取った情報は店用パーソナルコンピューター４０を介して前記パチンコ店管理本部１に設置されている管理本部用コンピューター４４に送信されるようになっている。
これにより、前記管理本部用コンピューター４４の画面４６を見ることによって前記携帯情報端末３０が読み取った情報を簡単に見ることができるようになっている。
この結果、前記パチンコ店管理本部１に設置されている管理本部用コンピューター４４の画面４６を見ることにより前記Ａパチンコ店２、Ｂパチンコ店３、Ｃパチンコ店４の各パチンコ店で行われているパチンコ機１０の改竄検査結果等を知ることができるので、パチンコ店管理本部１は前記Ａパチンコ店２、Ｂパチンコ店３、Ｃパチンコ店４の各パチンコ店で行われているパチンコ機１０の改竄検査結果等を一括して管理することができる。【０００８】  次に、第１実施例の遊技機店の遊技機改竄検査一括管理システムの作用を説明する。
図２に示されるように前記パチンコ機１０の基板収容ケース１６には予めケース本体１６Ａとケース蓋１６Ｂを跨ぐようにして前記ＩＣタグ２２を貼付しておく。
そして、改竄検査を行う場合はパチンコ店の検査担当者は携帯情報端末３０のスイッチボタン３４をオンにすると共に通信ボタン３６をオンにして携帯情報端末３０を貼付されているＩＣタグ２２に翳す。
この携帯情報端末３０の読取機能がＩＣチップ２８に記録されている情報を読み取ることができると、ディスプレー部３２に「ＯＫ」の文字が表示される。これにより、検査担当者は前記基板収容ケース１６が不正に開けられた等の不正行為がなかったことを知ることができる。
なお、前記携帯情報端末３０のディスプレー部３２には既に行われた検査日時や検査担当者の氏名等の検査過去データも表示される。これにより、検査担当者は前回行われた検査日時や検査担当者を知ることができる。
検査担当者が携帯情報端末３０を前記ＩＣタグ２２に翳して当該パチンコ機１０の改竄検査を行って検査が完了した場合は前記携帯情報端末３０の操作ボタン３８を操作して、改竄検査した日時やコード番号等で検査担当者の氏名等を携帯情報端末３０を介してＩＣタグ２２のＩＣチップ２８に書き込んで記録する。
上記の手順でパチンコ店の検査担当者はパチンコ機１０を順番に改竄が行われたか否かを検査すると共に改竄検査した日時や検査担当者の氏名等を携帯情報端末３０を介してＩＣタグ２２のＩＣチップ２８に書き込んで記録する。
従って、パチンコ機１０の改竄を簡単に検査できると共に検査過去データとして過去に行われた検査日時や検査担当者名もディスプレー部３２を見ることにより知ることができるので、パチンコ店の規則で決められた改竄検査が規則通り行われているか否かも簡単に確認することができる。
また、前記携帯情報端末３０は店用パーソナルコンピューター４０と接続されているので店用パーソナルコンピューター４０の画面４２を見ることによっても検査結果や既に行われた検査日時や検査担当者を知ることができる。。
さらに、前記携帯情報端末３０は店用パーソナルコンピューター４０を介して前記パチンコ店管理本部１に設置されている管理本部用コンピューター４４と接続されている。
従って、前記管理本部用コンピューター４４の画面４６を見ることによって前記Ａパチンコ店２、Ｂパチンコ店３、Ｃパチンコ店４においてそれぞれの携帯情報端末３０が読み取った情報（検査結果や既に行われた検査日時や検査担当者等）を簡単かつ迅速に見ることができる。
この結果、前記Ａパチンコ店２、Ｂパチンコ店３、Ｃパチンコ店４でそれぞれ行われているパチンコ機１０の改竄検査の結果等を簡単かつ迅速に知ることができるので、前記パチンコ店管理本部１は一括してＡパチンコ店２、Ｂパチンコ店３、Ｃパチンコ店４の改竄検査等を管理することができる。
また、前記パチンコ店管理本部１がＡパチンコ店２、Ｂパチンコ店３、Ｃパチンコ店４の改竄検査を一括管理することができることにより改竄検査等に関するアドバイスや指示を前記Ａパチンコ店２、Ｂパチンコ店３、Ｃパチンコ店４に迅速に行うことができる。【０００９】  また、例えば不正行為者がパチンコ店に忍び込んで前記基板収容ケース１６に収容されている制御基板１８に取り付けられている正規のＲＯＭ２０を改竄ＲＯＭに交換するために基板収容ケース１６のケース蓋１６Ｂを開けようとして前記ＩＣタグ２２を剥がすと前記ＩＣタグ２２に強い力が加ってＩＣタグ２２のアンテナ部２６が破損する。
この結果、パチンコ店の検査担当者が改竄検査をするために前記携帯情報端末３０をＩＣタグ２２に翳した場合、携帯情報端末３０が前記ＩＣチップ２８の情報を読み取ろうとしても前記ＩＣタグ２２のアンテナ部２６が破損しているため通信することができない。
このため、前記携帯情報端末３０のディスプレー部３２にはＩＣチップ２８に記録されている情報を読み取れない表示「ＮＧ」の文字が表示される。
従って、検査担当者は前記携帯情報端末３０がＩＣチップ２８の情報を読み取れない場合は不正行為者が当該パチンコ機１０の基板収容ケース１６に貼付されているＩＣタグ２２を剥がして基板収容ケース１６に収容されているＲＯＭ２０を改竄ＲＯＭに交換した等の不正行為を推測できるのでパチンコ店は早期に対応策を採ることができ、これにより当該パチンコ機１０のゲームをコントロールして多くの出玉を不正に獲得する不正行為を未然に防止することができる。
また、前記携帯情報端末３０が読み取った内容は前記パチンコ店の店用パーソナルコンピューター４０を介してパチンコ店管理本部１の管理本部用コンピューター４４に送信される。このため、前記パチンコ店管理本部１は管理本部用コンピューター４４の画面４６を見ることにより前記Ａパチンコ店２、Ｂパチンコ店３、Ｃパチンコ店４で前記改竄行為が発生したことを迅速に把握することができるので改竄行為が行われたパチンコ店やその他のパチンコ店にアドバイスや指示を適切に行うことができる。【００１０】  図４には本考案に係る遊技機店の遊技機改竄検査一括管理システムの第２実施例が示されている。なお、第１実施例の遊技機店の遊技機改竄検査一括管理システムと同一の構成は同一の符号を用いてその説明を省略する。
図４に示されるように、第２実施例の遊技機店の遊技機改竄検査一括管理システムにおいては前記携帯情報端末３０はパチンコ店管理本部１に設置されている管理本部用コンピューター４４と直接接続されている。
従って、第２実施例の遊技機店の遊技機改竄検査一括管理システムは前記Ａパチンコ店２、Ｂパチンコ店３、Ｃパチンコ店４の各店舗に店用パーソナルコンピューター４０を置く必要がないので、第１実施例に比べて設備投資等を削減することができる。
なお、他の構成、作用は第１実施例の遊技機店の遊技機改竄検査一括管理システムと同一であるので、その説明は省略する。【００１１】  図５には本考案に係る遊技機店の遊技機改竄検査一括管理システムの第３実施例が示されている。なお、第１実施例の遊技機店の遊技機改竄検査一括管理システムと同一の構成は同一の符号を用いてその説明を省略する。
図５に示されるように、第３実施例の遊技機店の遊技機改竄検査一括管理システムにおいては前記携帯情報端末３０は前記店用パーソナルコンピューター４０と接続されている。
また、前記携帯情報端末３０はパチンコ店管理本部１に設置されている管理本部用コンピューター４４とも直接接続されている。
従って、この場合は前記携帯情報端末３０で読み取った情報はＡパチンコ店２、Ｂパチンコ店３、Ｃパチンコ店４の前記店用パーソナルコンピューター４０とパチンコ店管理本部１の管理本部用コンピューター４４に同時に送信される。
この結果、第３実施例の遊技機店の遊技機改竄検査一括管理システムにおいては、前記携帯情報端末３０で読み取った情報はＡパチンコ店２、Ｂパチンコ店３、Ｃパチンコ店４とパチンコ店管理本部１が同時に知ることができる。
なお、他の構成、作用は第１実施例の遊技機店の遊技機改竄検査一括管理システムと同一であるので、その説明は省略する。【００１２】  なお、この実施例では遊技機としてパチンコ機１０を例にして説明したが、遊技機はパチンコ機１０に限定されるものでなく、例えばパチスロ機等をはじめとする他の遊技機でもよいことは勿論である。
また、実施例ではパチンコ店管理本部１がＡパチンコ店２、Ｂパチンコ店３、Ｃパチンコ店４の３店舗を管理する場合を示したが管理するパチンコ店は３店舗に限定されるものでないことは勿論である。
なお、実施例では通信回路体として矩形状のＩＣタグ２２を示したが、携帯情報端末３０と情報の送受信を行えるものであれば前記ＩＣタグ２２に限定されるものでないことは勿論である。
なお、実施例ではＩＣタグ２２をパチンコ機１０の基板収容ケース１６のケース本体１６Ａとケース蓋１６Ｂに跨るようにして貼付して取り付けたが、前記ＩＣタグ２２の取付方法や取付場所は実施例に限定されないことは勿論である。
【図面の簡単な説明】
【００１３】
【図１】第１実施例の遊技機店の遊技機改竄検査一括管理システムの全体概略図である。
【図２】第１実施例の遊技機店の遊技機改竄検査一括管理システムの一部拡大概略図である。
【図３】第１実施例の遊技機店の遊技機改竄検査一括管理システムに使用されるＩＣタグの平面図である。
【図４】第２実施例の遊技機店の遊技機改竄検査一括管理システムの全体概略図である。
【図５】第３実施例の遊技機店の遊技機改竄検査一括管理システムの全体概略図である。
【符号の説明】
【００１４】  １０    パチンコ機
１６    基板収容ケース
１８    制御基板
２０    ＲＯＭ
２２    ＩＣタグ
２４    パッケージ体
２６    アンテナ部
２８    ＩＣチップ
３０    携帯情報端末
３２    ディスプレー部
３４    スイッチボタン
３６    通信ボタン
３８    操作ボタン
４０    店用パーソナルコンピューター
４６    管理本部用コンピューター
【図１】
0003138462.tif 000003
【図２】
0003138462.tif 000004
【図３】
0003138462.tif 000005
【図４】
0003138462.tif 000006
【図５】
0003138462.tif 000007